(57)【要約】 【課題】薄型化を図ることができるバッテリユニットを含む構造及び電子機器を提供する。【解決手段】一つの実施形態によれば、電子機器は、側面に凹部が設けられた筐体と、前記筐体に支持され、前記筐体厚み方向と交差する方向で前記凹部と重なる位置に設けられた電子部品と、前記筐体に収容され、前記第１凹部近傍の側面の領域に沿って位置した第１バッテリセルと、前記筐体に収容され、前記第１凹部に沿って位置し、前記筐体厚み方向において前記第２凹部と互いに少なくとも一部が重なるとともに前記第１バッテリセルより薄い第２バッテリセルと、を具備する。【選択図】図２３
2013157291.tif 000002
【特許請求の範囲】
【請求項１】
平坦な入力面が設けられた入力装置と、
上記入力装置を支持するとともに、内部に部品が収容された筐体と、
前記筐体に支持された電子部品と、
前記筐体に収容された第１バッテリセルと、
前記筐体に収容され、前記筐体厚み方向において前記電子部品と互いに少なくとも一部が重なるとともに前記第１バッテリセルより薄い第２バッテリセルと、
前記第１及び第２バッテリセルを囲うフレームと、該フレームの内側に格子状に設けられ、前記複数のバッテリセルの間に位置した梁とを有しケースと、
前記第２バッテリセルから外れた位置で前記第１バッテリセルと前記第２バッテリセルとに電気的に接続された保護回路と、
を具備したバッテリユニットを含む構造。
【請求項２】
請求項１の記載において、
前記突出部は、前記梁に沿って延びたリブであるバッテリユニットを含む構造。
【請求項３】
側面と、該側面と交差する方向に延びた入力面と、側面に位置した第１凹部と、該第１凹部と連続するとともに入力面側に開口された第２凹部と、が設けられた筐体と、
前記筐体に支持され、前記筐体厚み方向で前記第２凹部と重なる位置に設けられた電子部品と、
前記筐体に収容され、前記第１凹部近傍の側面の領域に沿って位置した第１バッテリセルと、
前記筐体に収容され、前記第１凹部に沿って位置し、前記筐体厚み方向において前記第２凹部と互いに少なくとも一部が重なるとともに前記第１バッテリセルより薄い第２バッテリセルと、
前記第１及び第２バッテリセルを囲うフレームと、該フレームの内側に格子状に設けられ、前記複数のバッテリセルの間に位置した梁とを有しケースと、
前記第２バッテリセルから外れた位置で前記第１バッテリセルと前記第２バッテリセルとに電気的に接続された保護回路と、
を具備した電子機器。
【請求項４】
請求項３の記載において、
前記ケースに取り付けられた第２シートをさらに備え、
前記ケースは、前記第１開口部が設けられ、前記第１シートが取り付けられたベースと、前記ベースに前記第１シートとは反対側から取り付けられたカバーとを有し、
前記カバーは、前記複数のバッテリセルの少なくとも一つが露出する第２開口部が設けられ、該第２開口部が前記第２シートで覆われた第１部分と、前記複数のバッテリセルの少なくとも別の一つに向かい合い、前記第１部分よりも厚く形成され、前記ケースを補強する第２部分とを有した電子機器。
【請求項５】
請求項４の記載において、
前記保護回路は、前記フレームの外周に沿って設けられ、
前記カバーは、前記保護回路の少なくとも一部を覆い、前記第１部分よりも厚く形成され、前記ケースを補強する第３部分を有した電子機器。
【請求項６】
請求項５の記載において、
前記カバーの第２部分及び第３部分は、前記カバーの第１部分の両側に分かれて設けられた電子機器。
【請求項７】
側面に凹部が設けられた筐体と、
前記筐体に支持され、前記筐体厚み方向と交差する方向で前記凹部と重なる位置に設けられた電子部品と、
前記筐体に収容され、前記第１凹部近傍の側面の領域に沿って位置した第１バッテリセルと、
前記筐体に収容され、前記第１凹部に沿って位置し、前記筐体厚み方向において前記第２凹部と互いに少なくとも一部が重なるとともに前記第１バッテリセルより薄い第２バッテリセルと、
を具備した電子機器。
【請求項８】
請求項７の記載において、
前記電子部品は、タッチパッドデバイスであり、該タッチパッドデバイスは、周囲の領域に設けられた他の入力装置よりも前記筐体内側に奥まった位置で取り付けられた電子機器。
【請求項９】
請求項７の記載において、
前記第１バッテリセルと前記第２バッテリセルとを収容したケースを備え、該ケースは、前記第１バッテリセルと前記第２バッテリセルとの段差に沿った開口部を有する電子機器。
【請求項１０】
請求項７の記載において、
前記第１バッテリセルと前記第２バッテリセルとを収容したケースを備え、該ケースは、前記電子部品と重なる第１面と、該第１面とは反対側の第２面を有し、前記第２面は、第１バッテリセルと前記第２バッテリセルとを覆う部分で段差の無い平坦な面である電子機器。
【発明の詳細な説明】
【技術分野】
【０００１】
本発明の実施形態は、バッテリユニットを含む構造及び電子機器に関する。
【背景技術】
【０００２】
バッテリを搭載したバッテリユニットを含む構造及び電子機器が提供されている。
【先行技術文献】
【特許文献】
【０００３】
【特許文献１】特開２００６−２６０９７３号公報
【発明の概要】
【発明が解決しようとする課題】
【０００４】
電子機器は、薄型化が要望されている。
【０００５】
本発明の目的は、薄型化を図ることができるバッテリユニットを含む構造及び電子機器を提供することである。
【課題を解決するための手段】
【０００６】
側面に凹部が設けられた筐体と、前記筐体に支持され、前記筐体厚み方向と交差する方向で前記凹部と重なる位置に設けられた電子部品と、前記筐体に収容され、前記第１凹部近傍の側面の領域に沿って位置した第１バッテリセルと、前記筐体に収容され、前記第１凹部に沿って位置し、前記筐体厚み方向において前記第２凹部と互いに少なくとも一部が重なるとともに前記第１バッテリセルより薄い第２バッテリセルと、を具備した。
【図面の簡単な説明】
【０００７】
【図１】第１実施形態に係るテレビジョン受像機の正面図。
【図２】図１中に示されたテレビジョン受像機の内部を示す背面図。
【図３】図１中に示されたテレビジョン受像機の断面図。
【図４】第２実施形態に係る電子機器の斜視図。
【図５】図４中に示された第１ユニットの内部を示す平面図。
【図６】図４中に示された上カバーの内面を示す平面図。
【図７】図５中に示された第１ユニットのＦ７−Ｆ７線に沿う断面図。
【図８】図６中に示されたタッチパッド取付部の斜視図。
【図９】図５中に示された第１ユニットの内部を分解して示す斜視図。
【図１０】図５中に示された第１ユニットの内部を示す下面図。
【図１１】図５中に示された下カバーの内面を示す平面図。
【図１２】図９中に示されたバッテリユニットを分解して示す斜視図。
【図１３】図９中に示されたバッテリユニットの平面図。
【図１４】図９中に示されたバッテリユニットの下面図。
【図１５】図９中に示されたバッテリユニットの側面図。
【図１６】図５中に示されたキーボード及びバッテリユニットのＦ１６−Ｆ１６線に沿う断面図。
【図１７】図１６中に示されたバッテリユニットのＦ１７線に囲まれた部分を拡大して示す断面図。
【図１８】図１６中に示されたバッテリユニットのＦ１７線に囲まれた部分を拡大して示す断面図。
【図１９】第２実施形態に係るバッテリユニットの構造を模式的に示す断面図。
【図２０】図１６中に示されたキーボード及びバッテリユニットのＦ２０-Ｆ２０線に沿う断面図。
【図２１】第２実施形態に係るバッテリユニットの構造を模式的に示す断面図。
【図２２】第２実施形態に係るバッテリユニットの構造を模式的に示す断面図。
【図２３】第２実施形態に係るバッテリユニットの構造を模式的に示す断面図。
【発明を実施するための形態】
【０００８】
以下、実施の形態について、図面を参照して説明する。
【０００９】
（第１実施形態）  
図１乃至図３は、第１実施形態に係るテレビジョン受像機１を開示している。テレビジョン受像機１は、「電子機器」の一例である。図１に示すように、テレビジョン受像機１は、表示ユニット２と、この表示ユニット２を支持するスタンド（支持部、支部、台部）３とを有する。
【００１０】
表示ユニット２は、筐体（フロントマスクとバックカバーを組み合わせた箱状の構造物、内部の収容部品を覆う・保護する部材）４と、筐体４に収容された表示装置（表示パネル、パネル）５を有する。表示装置５は、タッチパネル（入力装置）を備えた表示画面（接触検知部、静電検知部、タッチセンサ、検出部、ポインティングデバイス領域、画面に対する入力を受付可能な操作部、入力面、入力受付面）５ａを有する。
【００１１】
筐体４は、表示画面５ａが露出する開口部４ａが設けられている。ここで開口部４ａは、開口された構造に限らず表示画面が露出されれば良く、光が透過するガラスやプラスチックなどの透明パネル内の領域でも代用が出来る。
【００１２】
筐体４は、正面（前面、フロントカバーの一部、表示画面の周辺、ユーザー側の面、入力面の辺、入力面側の面部、面部）４Ａと、背面（正面とは反対側の面、後面、バックカバーの一部、面部）４Ｂと、これらの間に亘る側面４Ｃと、を有する。
【００１３】
筐体４は、上記正面４Ａ、背面４Ｂ、側面４Ｃのそれぞれの一部または全部を含む領域で、筐体４のスタンド３側に位置した下端（一端、縁、辺、面、部分）４ｂと、該下端とは反対側に位置された上端（一端、縁、辺、面、部分）４ｃと、上端と下端との間に延びた側端（左端、右端、一端、縁、辺、面、部分）４ｄ、４ｅとを有する。
【００１４】
図２に示すように、筐体４には、開口部４ａと隣り合う（近傍にある、隣接する、並ぶ）他の開口部４ｆが設けられている。該開口部４ｅは、底面４ｆ１と、該底面４ｆ１の周辺（辺、端、縁、周囲、周り）で該底面４ｆ１から起立する方向（底面４ｆ１と交差する方向、ユーザー側／入力する側から見た方向、筐体の厚み方向）に延びた周壁（壁部、起立部、辺部、枠部、凹部、囲い、囲い部、突出部、ストッパ、引掛け部、段差部）４ｆ２を備える。
【００１５】
開口部４ｆは、筐体４の下端４ａ側に位置する。開口部４ｆは、筐体４の正面４Ａから下端４ａ側の側面４Ｃに亘る（至る、達する、連なる、繋がる、連続する）。開口部４ｆの底面４ｆ１は、該領域で筐体４の厚み（正面４Ａと背面４Ｂとの距離）が周辺の領域の筐体の厚みより薄い。
【００１６】
底面４ｆ１は、背面４Ｃの最も筐体４外側に位置した部分からの距離が、表示画面５ａの部分のものより短い、即ち、筐体厚み方向でみると表示画面５ａよりも底面４ｆ１は低い位置（背面側に近い位置）といえる。
【００１７】
底面４ｆ１は、図示しない外部からの入力を受け付けるボタンやセンサやリモコン受信部などの操作部（入力部、入力受付部、入力部の一部、入力面に含まれる領域、操作面に含まれる部分、電子部品、部品）が設けられる。外部載置面に対してスタンド３が延びた延長線上にこれらの操作部が設けられることで、特にボタンなどの外部からのストレスを受ける部分は安定的に支持される。
【００１８】
また、意匠的にも操作部の位置を強調出来る。また周壁４ｆ２などの段差によりユーザーに触覚的操作の手助けとなる。また、画面に対して一段下がった部分となるので、一部の領域が表示画面を見ているユーザー視点からの死角となるため操作部自体の意匠が目立つことを抑制できる。例えば段差が大きいほど（操作部がスタンド３側に奥まって位置するほど）操作部をユーザーの視界から無くす、遠ざけることが出来るが、周囲の壁の凹みにより、操作部が設けられた位置を見失うことは無い。
【００１９】
図２に示すように、筐体４には、回路基板６と、バッテリユニット（電源部、電源供給部、電池部）７とが収容されている。なお、筐体４、回路基板６、開口部４ｆ及び開口部４ｆの周辺の構成・構造、及びバッテリユニット７の詳細およびこれらに対する表現は、第２実施形態以降の電子機器１１におけるそれらと同じである。そこで、第２実施形態を代表して詳しく説明し、本実施形態におけるそれらの詳細な説明は省略する。なお、図１乃至図３において、第２実施形態の構成と同一または類似の機能を有する構成は、同一の符号を付している。
【００２０】
（第２実施形態）  
次に、図４乃至図２２を参照して、第２実施形態に係る電子機器１１を説明する。電子機器１１は、例えばノートブック型ポータブルコンピュータ（ノートＰＣ）である。なお、本実施形態が適用可能な電子機器は、上記例に限られない。本実施形態は、例えばスレート型ポータブルコンピュータ（スレートＰＣ）や、スマートフォンを含む携帯電話や、ゲーム機などその他の電子機器に広く適用可能である。
【００２１】
図４に示すように、電子機器１１は、第１ユニット１２と、第２ユニット１３と、ヒンジ部１４とを有する。第１ユニット１２は、例えばメインボード（第１基板、ボード、基板、電子部品、部品）が搭載された本体ユニットである。第１ユニット１２は、第１筐体４を備えている。第１筐体４の一例は、マグネシウム合金のような金属製或いは樹脂材料等であり、比較的高い剛性（プラスチックより高い剛性、机の上から落としても変形・破損する可能性が低い）を有する。第１筐体４は、上壁（壁、上面を含む領域）１６、下壁（壁、下面を含む領域）１７、及び周壁（壁、側壁、側面を含む領域）１８を有し、扁平な箱状に形成されている。
【００２２】
下壁１７は、電子機器１１を机の上に置いた時、その机上面（載置面）に向かい合う。即ち、筐体４内に収容された部品の落下を防ぐ覆い部（受け部、底部、底面）を構成する。下壁１７は、例えば机上面に接する複数の脚部（支持部、支部、台、弾性部材、ゴム脚）１９（図７、図１１参照）が設けられている。上壁１６は、下壁１７とは反対側に位置する。上壁１６は、下壁１７との間に空間を空けて、下壁１７と略平行に広がる。上壁１６は、上壁１６は、筐体４内に収容された部品をユーザー視点（入力する面側）から覆う覆い部（カバー、上面、前面、保護面、入力受付部と該入力受付部の周辺を含む面）である。
【００２３】
周壁１８は、下壁１７の周縁部と上壁１６の周縁部との間を繋いでいる。なお下壁１７及び上壁１６の両方、またはいずれか一方は、周壁１８に向いて曲がり、周壁１８に略円弧状に繋がっていてもよし、載置面に対して垂直に立ち上がる領域を備えていても良い。
【００２４】
第１筐体４は、第１端部（辺、縁）２１と、第２端部（辺、縁）２２とを有する。第１端部２１は、例えば前端部である。第２端部２２は、例えば後端部であり、第１端部２１とは反対側に位置する。周壁１８は、前壁１８ａ、後壁１８ｂ、第１側壁１８ｃ（例えば左側壁）、及び第２側壁１８ｄ（例えば右側壁）を有する。
【００２５】
前壁１８ａは、第１端部２１に位置する。前壁１８ａは、筐体４の長手方向（筐体４の横幅方向）に延びている。後壁１８ｂは、第２端部２２に位置する。後壁１８ｂは、前壁１８ａと略平行に延びている。第１側壁１８ｃ及び第２側壁１８ｄは、前壁１８ａ及び後壁１８ｂとは交差する方向（例えば略直交する方向）に延びている。第１側壁１８ｃ及び第２側壁１８ｄは、筐体４の短手方向（筐体４の奥行方向）に延びている。第１側壁１８ｃ及び第２側壁１８ｄは、それぞれ前壁１８ａの端部と後壁１８ｂの端部とを繋いでいる。
【００２６】
図４に示すように、第２のユニット１３は、例えば表示ユニットであり、第２筐体２４と、この第２筐体２４に収容された表示装置５とを備えている。表示装置５は、例えば液晶ディスプレイであるが、これに限定されるものではない。表示装置５は、画像や映像が表示される表示画面５ａを有する。第２筐体２４は、表示画面５ａが露出する開口部４ａを有する。
【００２７】
第２筐体２４は、ヒンジ部１４によって、第１筐体４の第２端部２２に回動可能（開閉可能）に連結されている。これにより、第１ユニット１２と第２ユニット１３とが重ねられる第１位置と、第１ユニット１２と第２ユニット１３とが開かれる第２位置との間で、第２ユニット１３は回動可能である。
【００２８】
次に、電子機器１１の実装構造について説明する。なお説明の便宜上、以下では「第１筐体４」を、単に「筐体４」と読み替える。
【００２９】
図４及び図５に示すように、筐体４の上壁１６には、キーボード（第１入力部、入力受付部、入力部の一部、入力面に含まれる領域、操作部、操作面に含まれる部分、電子部品、部品）２５及びタッチパッド（第２入力部、第２入力受付部、第２入力部の一部、第２入力面に含まれる領域、第２操作部、第２操作面に含まれる部分、電子部品、ポインティングデバイス、部品）２６が設けられている。なお、第１及び第２入力部は、上記に限定されるものではなく、タッチパネル（タッチセンサ）やボタン、受信部、その他外部からの入力・ユーザーの操作を受け付け可能な入力装置であってもよい。
【００３０】
図４に示すように、筐体４には、タッチパッド２６を囲む（タッチパッド２６が内部に位置する、タッチパッド２６が底部に配置された形状を構成する、タッチパッド２６の周辺に起立壁を構成する）開口部４ｆが設けられている。該開口部４ｅは、底面（タッチパッド２６を含む面）４ｆ１と、該底面４ｆ１の周辺（辺、端、縁、周囲、周り）で該底面４ｆ１から起立する方向（底面４ｆ１と交差する方向、ユーザー側／入力する側から見た方向、筐体の厚み方向）に延びた周壁（壁部、起立部、辺部、枠部、凹部、囲い、囲い部、突出部、ストッパ、引掛け部）４ｆ２を備える。
【００３１】
開口部４ｆは、筐体４の上壁ａ側に露出（開口、解放）する。開口部４ｆは、筐体４の上壁ａから前壁１８ａに亘る（至る、達する、連なる、繋がる、連続する）。開口部４ｆの底面４ｆ１は、該領域で筐体４の厚み（上壁１６と下壁１７との距離・間隔）が周辺の領域の筐体の厚みより薄い。
【００３２】
図４に示すように、筐体４は、下カバー２７（ベース）と、上カバー２８（カバー）とを有する。下カバー２７は、下壁１７と、周壁１８の一部とを含む。上カバー２８は、上壁１６と、周壁１８の一部とを含む。下カバー２７と上カバー２８とが組み合わされることで、筐体４は構成されている。
【００３３】
図６は、上カバー２８を裏返し、上カバー２８の内面を示す。上カバー２８は、キーボード２５が取り付けられるキーボード取付部３１と、タッチパッド２６が取り付けられるタッチパッド取付部３２とを有する。キーボード取付部３１は、「第１取付部」の一例である。タッチパッド取付部３２は、「第２取付部」の一例である。
【００３４】
キーボード取付部３１は、筐体４の長手方向に延び、筐体４の略全幅に亘る。図７に示すように、キーボード取付部３１は、上壁１６（パームレスト（支持面、支面、平面、キーボードとタッチパッド近傍の領域、）３６）から窪んでいる。これにより、キーボード取付部３１に取り付けられたキーボード２５は、上壁１６（パームレスト３６）と略同じ高さか、上壁１６（パームレスト３６）からわずかに高くなる。
【００３５】
図２０、２３に示すように、底面４ｆ１は、下壁１７の最も筐体４外側に位置した部分からの距離が、キーボード２５の各キー上面２５ａ、その周辺の面２５ｂ、パームレスト３６の部分のものより短い、即ち、筐体厚み方向でみるとキーボード２５の各キー上面２５ａや、その周辺の面２５ｂよりも底面４ｆ１は低い位置（下壁１７側に近い位置）といえる。
【００３６】
図６に示すように、本実施形態のキーボード取付部３１は、ハニカム構造を有する。すなわち、キーボード取付部３１は、複数の六角形状の開口部３１ａと、この開口部３１ａの間に延びた複数の梁３１ｂ（支持部）とを有する。複数の梁３１ｂは、互いに連結され、六角形状の枠を形成している。これら梁３１ｂは、キーボード取付部３１の略全域に設けられ、キーボード２５を下方から支持する。
【００３７】
このようなハニカム構造を有することで、キーボード取付部３１は、強度（剛性）の確保と、軽量化とが同時に実現されている。これにより、ユーザーがキーボード２５を強く叩いても、キーボード取付部３１は撓みにくい。
【００３８】
図６に示すように、タッチパッド取付部３２は、キーボード取付部３１と、第１端部２１との間に位置する。図８及び図２０に示すように、タッチパッド取付部３２は、上壁１６（パームレスト３６）から窪んでいる。タッチパッド取付部３２は、タッチパッド２６を筐体４の内側（すなわち下方）から支持する。
【００３９】
図８及び図２０に示すように、タッチパッド取付部３２は、第１部分３２ａ、第２部分３２ｂ、及び第３部分３２ｃを有する。第１部分３２ａは、キーボード取付部３１に隣接している。第１部分３２ａは、キーボード取付部３１よりも浅く窪んでいる。第１部分３２ａには、タッチパッド２６の平板部分が載せられる。
【００４０】
第２部分３２ｂは、第１部分３２ａと第１端部２１との間に位置する。第２部分３２ｂは、第１部分３２ａよりも深く、且つ、キーボード取付部３１よりも浅く窪んでいる。第２部分３２ｂには、タッチパッド２６の部品実装部が載せられる。
【００４１】
第３部分３２ｃは、第２部分３２ｂと第１端部２１との間に位置する。第３部分３２ｃは、第２部分３２ｂよりも深く、且つ、例えばキーボード取付部３１よりも深く窪んでいる。第３部分３２ｃには、タッチパッド２６のボタン３４（タッチパッドボタン）と、このボタン３４によって操作されるスイッチ３５（スイッチ基板）とが取り付けられる。
【００４２】
図４に示すように、タッチパッド取付部３２の左右の両側には、パームレスト３６が設けられている。パームレスト３６は、キーボード取付部３１と第１端部２１との間に延びている。図６に示すように、パームレスト３６の内面には、ハニカムリブ（ハニカム構造で形成されたリブ）が設けられている。これにより、パームレスト３６は、ユーザーが強く押したとしても撓み難い。
【００４３】
図９及び図１０に示すように、筐体４には、一対のスピーカ３７，３８、回路基板６、及びバッテリユニット７が収容されている。これらスピーカ３７，３８、回路基板６、及びバッテリユニット７は、上壁１６の内面に取り付けられる（固定される）。
【００４４】
図５及び図１０に示すように、一対のスピーカ３７，３８は、左右の端部に分かれて配置されている。第１スピーカ３７は、第１側壁１８ｃと前壁１８ａに沿う。第２スピーカ３８は、第２側壁１８ｄと前壁１８ａに沿う。
【００４５】
図５に示すように、第１スピーカ３７は、スピーカ４１（スピーカ本体）と、このスピーカ４１を収容したスピーカボックス４２とを有する。スピーカ４１は、高音質を実現するため、比較的口径の大きなものが採用されている。この口径が大きなスピーカ４１は、筐体４の薄型化のため、パームレスト３６（上壁１６）と略平行に実装されている。すなわち、スピーカ４１の振動板は、パームレスト３６（上壁１６）の内面に向かい合う。
【００４６】
スピーカボックス４２は、第１放音孔４２ａ（第１開口部）と、第２放音孔４２ｂ（第２開口部）とを有する。第１放音孔４２ａは、中高音域の音が放出される。第１放音孔４２ａは、筐体４の前壁１８ａに向かい合う。すなわち、第１放音孔４２ａは、スピーカ４１の振動方向ではなく、振動方向とは交差する方向（例えば略直交する方向）に開口している。
【００４７】
スピーカ４１と第１放音孔４２ａとの間には、スピーカ４１からの音を第１放音孔４２ａに向けて案内するガイド４３が設けられている。このガイド４３により、スピーカ４１と第１放音孔４２ａとの間に通音領域（通音空間、通音部）が設けられている。ガイド４３は、例えばクッション（スポンジ）で構成されている。
【００４８】
図４に示すように、筐体４の前壁１８ａは、第１放音孔４２ａに向かい合う開口部４４を有する。第１スピーカ３７からの中高音域の音は、前壁１８ａの開口部４４から筐体４の外部に放出される。
【００４９】
図１０に示すように、第２放音孔４２ｂは、いわゆるバスレフの穴であり、低音域（例えば数百Ｈｚ）の音が放出される。第２放音孔４２ｂは、筐体４の長手方向に向いて、筐体４内に開口している。すなわち、低音域の音は、筐体４の内部に放出される。本実施形態では、低音域は指向性がないことを利用し、低音域の音を、筐体４の内部空間を使って共鳴させる。これにより、低音域の音が増強される。
【００５０】
図１０に示すように、スピーカボックス４２は、前壁１８ａに沿って延びている。第２放音孔４２ｂは、スピーカボックス４２の端部に設けられ、第２側壁１８ｄに向けて低音を放出する。第２放音孔４２ｂから出た低音は、筐体４の小さな穴（例えばタッチパッド取付部３２やねじ穴）を通るか、または製品自体を振動させることで、外部に伝わる。
【００５１】
第２スピーカ３８は、第１スピーカ３７と構成が略同じであるので、同じ機能を有する構成に同一の符号を付してその説明は省略する。スピーカ４１と、このスピーカ４１を収容したスピーカボックス４２とを有する。
【００５２】
図１０に示すように、第２スピーカ３８のスピーカボックス４２も、前壁１８ａに沿って延びている。第２スピーカ３８の第２放音孔４２ｂは、スピーカボックス４２の端部に設けられ、第１側壁１８ｃに向けて低音を放出する。ここで、第１スピーカ３７の第２放音孔４２ｂと、第２スピーカ３８の第２放音孔４２ｂは、互いに向かい合う。これにより、第１スピーカ３７からの低音と、第２スピーカ３８からの低音は、筐体４内で合成され、増強されて外部に伝わる。
【００５３】
図１０に示すように、回路基板６は、筐体４の第２端部２２寄りに設けられている。回路基板６は、長方形状である。回路基板６の長手方向は、筐体４の長手方向に沿う。回路基板６は、例えばメインボードである。
【００５４】
回路基板６は、発熱部品４６、メモリ４７、及び種々の電子部品４８が実装されている。発熱部品４６の一例は、ＣＰＵ(Central Processing Unit)であるが、これに限定されるものではない。発熱部品４６は、グラフィックチップやその他の部品でもよく、放熱が望まれる種々の部品が適宜該当する。
【００５５】
筐体４には、ファン４９、ヒートシンク５０、及びヒートパイプ５１が収容されている。筐体４の後壁１８ｂには、排気孔５２（開口部）が設けられている。ヒートシンク５０は、排気孔５２に向かい合う。ファン４９は、ヒートシンク５０に向かい合う。
【００５６】
図１１に示すように、筐体４の下壁１７には、第１吸気孔５３（開口部）が設けられている。第１吸気孔５３は、ファン４９に向かい合う。図５及び図１０に示すように、ファン４９は、遠心タイプであり、上下面に分かれて設けられた２つの吸込口４９ａ，４９ｂと、側面に設けられた吐出口４９ｃとを有する。
【００５７】
図１０に示すように、第１吸込口４９ａは、筐体４の下壁１７の第１吸込口４９ａに向かい合う。ファン４９は、第１吸気孔５３と通じて、筐体４の外部の空気を吸い込む。図５に示すように、第２吸込口４９ｂは、第１吸込口４９ａとは反対側に位置し、筐体４の上壁１６に向かい合う。ファン４９は、第２吸込口４９ｂを通じて、筐体４の内部の空気を吸い込む。吐出口４９ｃは、ヒートシンク５０に向かい合う。ファン４９は、ヒートシンク５０に向けて風を送る。
【００５８】
図１１に示すように、筐体４は、第２吸気孔５４（開口部）を有する。第２吸気孔５４は、バッテリユニット７を外れて設けられ、回路基板６に向かい合う。ファン４９は、第２吸気孔５４から筐体４内に流入する空気を、第２吸込口４９ｂから吸い込む。
【００５９】
ヒートパイプ５１は、「熱伝導部材」の一例である。ヒートパイプ５１は、発熱部品４６とヒートシンク５０との間に延び、発熱部品４６とヒートシンク５０とを熱的に接続する。
【００６０】
図１０に示すように、回路基板６と筐体４の第１端部２１との間には、バッテリユニット７が取り付けられる。バッテリユニット７は、「バッテリパック」、「バッテリ」、「電池」、「ユニット」、「モジュール」のそれぞれ一例である。
【００６１】
バッテリユニット７は、長方形状である。バッテリユニット７の長手方向は、筐体４の長手方向と略同じである。バッテリユニット７は、回路基板６と略平行に延び、例えば筐体４の略全幅に亘る。図１０に示すように、バッテリユニット７と回路基板６は、筐体４の厚さ方向とは交差する方向（例えば略直交する方向）で一部重なる。すなわち、バッテリユニット７と回路基板６は、上壁１６と略平行な方向で一部重なる。
【００６２】
図１０に示すように、バッテリユニット７は、回路基板６と、スピーカ３７，３８との間に位置する。また、バッテリユニット７の前端部は、第１スピーカ３７と、第２スピーカ３８との間に位置する。
【００６３】
次に、バッテリユニット７の構造について詳しく説明する。  
図１２に示すように、バッテリユニット７は、複数のバッテリセル６１（電池セル）と、ケース６２（バッテリケース）とを有する。バッテリセル６１は、例えば６個設けられている。バッテリセル６１は、長方形状の板状のバッテリセル（セル、電源、電池、コア）６１Ａと該バッテリセル６１Ａよりも薄い（筐体４の厚み方向で薄い、ケース６２の厚み方向で薄い）、略正方形状の扁平なバッテリセル（セル、電源、電池、コア）６１Ｂとを含む。バッテリセル６１Ａの長手方向は、バッテリユニット７の長手方向と略一致する。
【００６４】
バッテリセル６１Ａとバッテリセル６１Ｂとは、筐体４の下壁１７から略同じ距離離れている。即ち、筐体４の底面から見てバッテリセル６１Ａとバッテリセル６１Ｂとの間で段差はなく、面一の状態で配置される。
【００６５】
バッテリセル６１Ａは、バッテリセル６１Ｂを跨いで（間に挟んで）２個ずつ、２列に分かれて並べられている。バッテリセル６１Ｂは、２列に並ぶバッテリセル６１Ａの列が延びる方向（バッテリユニット７の長手方向）でバッテリセル６１Ａの間に位置する。すなわち、バッテリセル６１は、第１列Ｒ１に位置した２個のバッテリセル６１Ａと、第２列Ｒ２に位置した２個のバッテリセル６１Ａと、これらの間に位置した２個のバッテリセル６１Ｂとを含む。各列では、バッテリセル６１Ａは、その長手方向に互いに並べられている。
【００６６】
本実施形態のバッテリセル６１Ａ，６１Ｂは、板状であり比較的薄い。バッテリセル６１Ａ，６１Ｂは、第１面６１ａ、第２面６１ｂ、及び第３面６１ｃを有する（図１７参照）。第１面６１ａは、例えば上面である。第２面６１ｂは、第１面６１ａとは反対側に位置し、例えば下面である。第３面６１ｃは、第１面６１ａと第２面６１ｂとの間に亘り、第１面６１ａ及び第２面６１ｂとは交差する方向（例えば略直交する方向）に延びている。第３面６１ｃは、例えば側面である。第３面６１ｃは、第１面６１ａ及び第２面６１ｂに比べて小さい。なお、第３面６１ｃと第１面６１ａとの角部Ｃ１、及び第３面６１ｃと第２面６１ｂとの角部Ｃ２は、それぞれ例えば円弧状の丸みを有する。
【００６７】
図１２に示すように、複数のバッテリセル６１Ａ，６１Ｂは、該バッテリセル６１の板厚方向（厚さ方向）とは交差する方向（例えば略直交する方向）に互いに並べられている。すなわち、バッテリセル６１Ａ，６１Ｂは、第３面６１ｃを互いに向かい合わせて並べられている。
【００６８】
図１２に示すように、ケース６２は、ベース６４（本体部）と、該ベース６４に取り付けられる（組み合わされる）カバー６５とを有する。バッテリセル６１Ａ，６１Ｂは、ベース６４とカバー６５との間に位置する。
【００６９】
ベース６４は、例えば枠と梁から成る骨組構造に形成され、上方向と下方向とに開放されている。詳しく述べると、ベース６４は、枠部６４ａと、梁部６４ｂとを有する。枠部６４ａは、複数のバッテリセル６１を一体に囲む枠であり、複数のバッテリセル６１の外側に位置する。枠部６４ａは、ベース６４の周壁を構成する。枠部６４ａは、バッテリセル６１の厚さ方向に起立したリブであり、バッテリセル６１の第３面６１ｃに向かい合う。
【００７０】
梁部６４ｂは、枠部６４ａの内側に格子状に設けられ、複数のバッテリセル６１の間に位置する。梁部６４ａは、バッテリセル６１Ａ，６１Ｂの厚さ方向に起立したリブであり、複数のバッテリセル６１の第３面６１ｃの間を延びている。
【００７１】
図１７は、梁部６４ｂを詳しく示す。図１７に示すように、梁部６４ｂは、第１部分６４ｂａと、第２部分６４ｂｂと、第３部分６４ｂｃとを有する。第１部分６４ｂａは、バッテリセル６１の第２面６１ｂと略平行に延びるとともに、複数のバッテリセル６１の間に入り込んでいる。第１部分６４ｂａの一部は、バッテリセル６１の第３面６１ｃに向かい合う。第１部分６４ｂａの一部は、バッテリセル６１の第２面６１ｂと略平行な方向で、バッテリセル６１Ａ，６１Ｂの角部Ｃ２に向かい合う。
【００７２】
第２部分６４ｂｂは、バッテリセル６１の厚さ方向に起立したリブであり、バッテリセル６１の第３面６１ｃに沿って延びている。第２部分６４ｂｂは、バッテリセル６１の第３面６１ｃに向かい合う。第２部分６４ｂｂは、例えば梁部６４ｂの略全長に設けられている。梁部６４ｂを補強している。
【００７３】
第３部分６４ｂｃは、第１部分６４ｂａの端部から延び、バッテリセル６１の第２面６１ｂに向かい合う。第３部分６４ｂｃは、第１部分６４ｂａよりも薄く、第１部分６４ｂａよりも強度が小さい。第３部分６４ｂｃは、例えばバッテリセル６１の上下方向の位置を規制するが、実質的な強度は有しなくてもよい。なお、上記枠部６４ａも、梁部６４ｂと略同じ構成を有する。
【００７４】
一方で、図１２に示すように、カバー６５は、骨組構造の第１部分７１と、それぞれ蓋部としての第２及び第３部分７２，７３とを有する。なお、ここでは第１部分７１について説明し、第２及び第３部分７２，７３については後述する。第１部分７１は、枠部７１ａと、梁部７１ｂとを有する。枠部７１ａは、ベース６４の枠部６４ａの一部に対応して位置し、ベース６４の枠部６４ａに向かい合う。枠部７１ａは、例えばベース６４に向いて延び、ベース６４の枠部６４ａに連結される。
【００７５】
梁部７１ｂは、ベース６４の梁部６４ｂに対応して位置し、ベース６４の梁部６４ｂに向かい合う。図１７に示すように、梁部７１ｂは、第１部分７１ｂａと、第２部分７１ｂｂとを有する。第１部分７１ｂａは、バッテリセル６１の第１面６１ａと略平行に延びるとともに、複数のバッテリセル６１の間に入り込んでいる。第１部分７１ｂａは、バッテリセル６１の厚さ方向で、ベース６４の梁部６４ｂの第２部分６４ｂｂに向かい合う。第１部分７１ｂａの一部は、バッテリセル６１の第３面６１ｃに向かい合う。第１部分７１ｂａの一部は、バッテリセル６１の第１面６１ａと略平行な方向で、バッテリセル６１の角部Ｃ１に向かい合う。
【００７６】
第２部分７１ｂｂは、第１部分７１ｂａの端部から延び、バッテリセル６１の第１面６１ａに向かい合う。第２部分７１ｂｂは、第１部分７１ｂａよりも薄く、第１部分７１ｂａよりも強度が小さい。第２部分７１ｂｂは、実質的な強度は有しなくてもよい。第２部分７１ｂｂは、バッテリセル６１との間に隙間を空ける。
【００７７】
図１８は、ケース６２に外圧が加わった状態を示す。外圧が加わると、カバー６５の梁部７１ｂがベース６４の梁部６４ｂに向けた撓むことがある。この場合、カバー６５の梁部７１ｂは、ベース６４の梁部６４ｂに当接し、ベース６４の梁部６４ｂによって支持される。このカバー６５の梁部７１ｂとベース６４の梁部６４ｂとが当接した状態においても、カバー６５の梁部７１ｂの第２部分７１ｂｂは、バッテリセル６１との間の隙間を有する。なお、カバー６５の梁部７１ｂの第２部分７１ｂｂは、バッテリセル６１に軽く接してもよい。
【００７８】
このようなベース６４とカバー６５とを有することで、ケース６２は、フレーム８１と、複数の梁８２とを有する。フレーム８１は、ベース６４の枠部６４ａと、カバー６５の枠部７１ａとによって構成されている。梁８２は、ベース６４の梁部６４ｂと、カバー６５の梁部７１ｂとによって構成されている。梁８２は、「支持部」の一例である。ケース６２は、例えばプラスチック製である。フレーム８１及び複数の梁８２は、プラスチック材料で一体成形されている。
【００７９】
フレーム８１（第１フレーム）は、ケース６２の周面（周壁）を構成し、複数のバッテリセル６１を囲う。複数の梁８２は、フレーム８１の内側に格子状に設けられている。複数の梁８２は、バッテリユニット７の長手方向に延びた１本の梁８２と、バッテリユニット７の短手方向に延びた３本の梁８２とを含む。
【００８０】
各梁８２は、バッテリセル６１とバッテリセル６１との間に位置し、バッテリセル６１の第３面６１ｃに向かい合う。これにより、フレーム８１の内側には、梁８２によって仕切られた８つの収容部８３（開口部）が設けられている。各収容部８３には、それぞれバッテリセル６１が収容される。
【００８１】
図１７及び図１８に示すように、梁８２は、バッテリセル６１よりも厚く形成されている。すなわち、梁８２の一部は、バッテリセル６１よりも、筐体４の内面の近くに位置する。具体的には、梁８２は、第１部分８２ａと、第２部分８２ｂとを有する。第１部分８２ａは、バッテリセル６１の第１面６１ａよりも、上壁１６（キーボード取付部３１）の近くに位置する。第２部分８２ｂは、バッテリセル６１の第２面６１ｂよりも、下壁１７の近くに位置する。なお、フレーム８１も同様に、バッテリセル６１よりも厚く形成されている。
【００８２】
図１２に示すように、フレーム８１と梁８２との間には、第１開口部８５が設けられている。第１開口部８５は、ベース６４に設けられている。すなわち、第１開口部８５は、ベース６４の枠部６４ａと梁部６４ｂとの間に設けられている。第１開口部８５は、各収容部８３に設けられている。第１開口部８５は、バッテリセル６１の第２面６１ｂに向かい合う。バッテリセル６１の第２面６１ｂは、第１開口部８５から外部に露出される。
【００８３】
図１２に示すように、ケース６２の下面には、第１シート８６（第１ラベル、第１インシュレータ）が取り付けられる。第１シート８６は、例えば紙であり、非常に薄い。第１シート８６は、実質的な強度（剛性）を有しない非剛性のシートである。
【００８４】
第１シート８６は、例えば梁８２の肉厚ｔ１よりも薄い。第１シート８６は、例えば筐体４の肉厚ｔ２よりも薄い。第１シート８６は、ケース６２の略全域を覆う大きさを有し、複数の収容部８３（第１開口部８５）を一体に覆う。第１シート８６は、複数のバッテリセル６１を一体に覆う。
【００８５】
図１２に示すように、バッテリユニット７は、保護回路９１（回路ブロック）を有する。保護回路９１は、保護回路基板９２、リード板９３、絶縁板９４、ポリスイッチ９５、及び温度フューズ９６を含む。保護回路９１は、バッテリセル６１とは重ねられていない。保護回路９１は、フレーム８１の外側に設けられ、バッテリセル６１に電気的に接続されている。本願の構成を採用することで保護回路９１に電気的に繋ぐ部品の実装自由度を上げることができる。
【００８６】
保護回路９１は、バッテリセル６１Ａと隣合って配置される。保護回路９１は、バッテリセル６１Ａはバッテリセル６１Ｂよりも厚いため、
保護回路９１は、フレーム８１の外周に沿ってＬ字形に配置されている。ケース６２は、保護回路９１が取り付けられる第２フレーム８１を有する。第２フレーム８１は、フレーム８１に連結され、フレーム８１を補強している。
【００８７】
図１２に示すように、カバー６５は、第１シート８６とは反対側からベース６４に取り付けられている。カバー６５は、上述したように、第１部分７１、第２部分７２、及び第３部分７３を有する。
【００８８】
第１部分７１は、例えば第１列Ｒ１に位置したバッテリセル６１の部分に対応する。第１部分７１は、第２開口部１０１が設けられている。第２開口部１０１は、フレーム８１と梁８２との間に設けられている。すなわち第２開口部１０１は、カバー６５の枠部７１ａと梁部７１ｂとの間に設けられている。第２開口部１０１は、複数のバッテリセル６１の少なくとも一つが露出する。第２開口部１０１は、バッテリセル６１の第１面６１ａに向かい合う。バッテリセル６１の第１面６１ａは、第２開口部１０１から外部に露出される。
【００８９】
図１２に示すように、カバー６５の第１部分７１には、第２シート１０２（第２ラベル、第２インシュレータ）が取り付けられる。第２シート１０２は、例えば紙であり、非常に薄い。第２シート１０２は、実質的な強度（剛性）を有しない非剛性のシートである。
【００９０】
第２シート１０２は、例えば梁８２の肉厚ｔ１よりも薄い。第２シート１０２は、例えば筐体４の肉厚ｔ２よりも薄い。第２シート１０２は、ケース６２の略全域を覆う大きさを有し、複数の収容部８３（第２開口部１０１）を一体に覆う。第２シート１０２は、複数のバッテリセル６１を一体に覆う。
【００９１】
図１２に示すように、第２部分７２は、複数のバッテリセル６１の少なくとも別の一つに向かい合う。第２部分７２は、例えば第２列Ｒ２に位置したバッテリセル６１の部分に対応する。第２部分７２は、板状（蓋状、平面状）に形成され、第２列Ｒ２に延びたバッテリセル６１の部分を一体に覆う。第２部分７２は、第１部分７１に比べて厚く形成されている。
【００９２】
第２部分７２には、タッチパッド２６部分の凹みと対応する位置（筐体４の厚み方向でタッチパッド２６と重なる位置、パームレスト３６に挟まれた位置、キーボード２５から外れた領域）に周囲よりケース６２内部に向かって奥まった形状を有する開口部（凹部、凹み、窪み、重なり部分、セル６２Ｂと重なる部分）７２ａを有する該開口部７２ａは、バッテリセル６２Ａとバッテリセル６２Ｂとの段差に略等しい段差を有する。
【００９３】
第２部分７２は、第１部分７１よりも高い剛性を有し、ケース６２を補強する。第２部分７２は、筐体４（回路基板６）の長手方向に延びている。この第２部分７２は、筐体４（回路基板６）の長手方向の撓みの抑制に貢献する。
【００９４】
図７、図１２、図２０に示すように、第２部分７２は、第１部分７１に対して上方に盛り上がっている。すなわち、第２部分７２の表面７２ｓは、第１部分７１の表面７１ｓに対して段差を有し、第１部分７１の表面７１ｓよりも高く位置する。
【００９５】
図１２に示すように、第３部分７３は、保護回路９１（第２フレーム８１）に対応する。第３部分７３は、第２フレーム８１に取り付けられる。第３部分７３は、板状（蓋状、平面状）に形成され、保護回路９１の少なくとも一部を覆う。第３部分７３は、第１部分７１に比べて厚く形成されている。
【００９６】
第３部分７３は、第１部分７１よりも高い剛性を有し、ケース６２を補強する。第３部分７３は、筐体４（回路基板６）の長手方向に延びている。この第３部分７３は、筐体４（回路基板６）の長手方向の撓みの抑制に貢献する。第２部分７２及び第３部分７３は、第１部分７１の両側に分かれて位置する。これにより、第２部分７２と第３部分７３とにより、第１部分７１が補強されている。
【００９７】
図７、図１２、図２０に示すように、第３部分７３は、梁８２を外れた位置に設けられている。第３部分７３の一部は、バッテリユニット７の厚さ方向とは交差する方向（例えば略直交する方向）で、梁８２に重なる（向かい合う）。第３部分７３は、第１部分７１に対して盛り上がっていない。第３部分７３の表面７３ｓは、第１部分７１の表面７１ｓと略同じ平面上に位置する。
【００９８】
次に、筐体４の構造と、バッテリユニット７との関係を説明する。ここで、図１９、図２１、図２２は、説明の便宜上、構造を模式的に示している。
【００９９】
図２０及び図２２に示すように、筐体４は、第１領域１１１、第２領域１１２、及び第３領域１１３を有する。第１領域１１１（第１部分）は、キーボード取付部３１が設けられた領域である。第１領域１１１では、キーボード取付部３１が筐体の内側に窪んでおり、筐体４内の厚さが限られている。
【０１００】
第２領域１１２（第２部分）は、パームレスト３６及びタッチパッド取付部３２の第１及び第２部分３２ａ，３２ｂが設けられている。第２領域１１２は、第１領域１１１に比べて、筐体４内の厚さが小さい。第３領域１１３（第３部分）は、タッチパッド取付部３２の第３部分３２ｃが設けられている。第３領域１１３は、第１領域１１１に比べて、筐体４内の厚さが小さい。
【０１０１】
図２０及び図２２に示すように、第１列Ｒ１に位置したバッテリセル６１は、第１領域１１１に位置する。すなわち、カバー６５の第１部分７１は、第１領域１１１に位置し、キーボード取付部３１の下方に位置する。
【０１０２】
一方で、第２列Ｒ２に位置したバッテリセル６１Ａの一部とバッテリセル６１Ｂの一部とは、第２領域１１２に位置する。すなわち、カバー６５の第２部分７２は、空間的に狭くなる第２領域１１２に位置し、パームレスト３６及びタッチパッド取付部３２タッチパッド取付部３２の第１及び第２部分３２ａ，３２ｂの下方に位置する。
【０１０３】
図６、図１７乃至図１９に示すように、筐体４の上壁１６（キーボード取付部３１）は、第１及び第２の突出部１２１，１２２を有する。第１及び第２突出部１２１，１２２は、筐体４の内面に設けられ、筐体４内に突出している。
【０１０４】
第１突出部１２１は、バッテリユニット７の梁８２に向いて突出している。図６に示すように、第１突出部１２１は、梁８２に沿って延びたリブである。筐体４の上壁１６が撓むとき、第１突出部１２１が梁８２に支持される。これにより、図１８に示すように、上壁１６（キーボード取付部３１）がバッテリセル６１に接する前に、上壁１６の撓みが抑制される。
【０１０５】
図６に示すように、第２突出部１２２は、第１突出部１２１とは交差する方向（例えば略直交する方向）に延びている。第２突出部１２２は、例えば筐体４の長手方向に延びている。第２突出部１２２は、バッテリユニット７のフレーム８１に向いて突出している。筐体４の上壁１６が撓むとき、第２突出部１２２がフレーム８１に支持される。これにより、上壁１６（キーボード取付部３１）がバッテリユニット７に接する前に、上壁１６の撓みが抑制される。
【０１０６】
次に、本実施形態の実装構造についていくつか述べる。  
図１０に示すように、バッテリユニット７の端部１３１（前端部）は、筐体４の長手方向に延び、筐体４の略全幅に亘る。バッテリユニット７の端部１３１は、第１スピーカ３７の第２放音孔４２ｂの音の放出方向に沿って延びている。すなわち、バッテリユニット７の端部１３１は、第１スピーカ３７の第２放音孔４２ｂから第２スピーカ３８の第２放音孔４２ｂに向かう方向に延びている。
【０１０７】
また、バッテリユニット７の端部１３１は、第２スピーカ３８の第２放音孔４２ｂの音の放出方向に沿って延びている。すなわち、バッテリユニット７の端部１３１は、第２スピーカ３８の第２放音孔４２ｂから第１スピーカ３７の第２放音孔４２ｂに向かう方向に延びている。
【０１０８】
これにより、第１スピーカ３７の第２放音孔４２ｂから出た音と、第２スピーカ３８の第２放音孔４２ｂから出た音とは、バッテリユニット７の端部１３１に沿って案内され、筐体４内で互いにぶつかり、増強される。すなわち、バッテリユニット７は、第１及び第２スピーカ３７，３８からの音を筐体４内で案内するガイド部の一部を構成する。
【０１０９】
図１１に示すように、バッテリユニット７の端部１３２（後端部）は、筐体４の長手方向に延び、筐体４の略全幅に亘る。これにより、このバッテリユニット７の端部１３２によって、筐体４内には、筐体４の長手方向に延びた壁が構成されている。第２吸気孔５４から取り込まれた空気は、上記壁に案内され、ファン４９に向かって流れる。すなわち、バッテリユニット７は、筐体４内の風の流れを案内する整流部の一部を構成する。つまり、バッテリユニット７の端部１３２と、筐体４の後壁１８ｂとにより、第２吸気孔５４からファン４９に向かうダクトの一部が構成されている。
【０１１０】
図１１に示すように、筐体４の下壁１７に設けられた脚部１９は、バッテリユニット７を外れて設けられている。これにより、バッテリユニット７に負荷が掛かり難くなっている。
【０１１１】
このような構成によれば、電子機器１１の薄型化を図ることができる。  
一般的なバッテリケースは、全体が硬いプラスチックで構成されている。このような構成では、バッテリセル６１の上側と下側にどうしても厚みが必要となり、バッテリユニットがどうしても比較的厚くなる。
【０１１２】
本実施形態では、バッテリユニット７は、複数のバッテリセル６１の間に位置し、バッテリセル６１よりも厚い梁８２（支持部）を有する。このような構成によれば、バッテリユニット７の外部からのストレスは、梁８２によって受けられ、バッテリセル６１に直接に掛かり難い。
【０１１３】
このため、バッテリケース６２の全体を硬いプラスチックで構成しなくても、バッテリセル６１の保護が可能になる。これにより、機械的強度を保ちながら、バッテリユニット７の薄型化と軽量化とを図ることができる。これは、電子機器１１の薄型化と軽量化とを図ることができる。
【０１１４】
本実施形態では、バッテリユニット７は、収容部８３を有したケース６２と、収容部８３に収容され、開口部８５から露出されるバッテリセル６１と、ケース６２に取り付けられ、開口部８５を覆うシート８６とを具備する。このような構成によれば、ケース６２の一部を、薄くて軽いシート８６で構成することができる。これにより、バッテリユニット７の薄型化と軽量化とを図ることができる。
【０１１５】
本実施形態では、バッテリユニット７は、複数のバッテリセル６１を囲うフレーム８１と、該フレーム８１の内側に格子状に設けられ、複数のバッテリセル６１の間に位置した梁８２とを有する。このような構成によれば、フレーム８１と梁８２とによって、バッテリセル６１を保護する比較的強固な保護構造が構成されるので、ケース６２の一部を、さらに強度が弱く、薄くて軽い部材で構成することができる。これにより、バッテリユニット７の薄型化と軽量化とを図ることができる。
【０１１６】
本実施形態では、筐体４は、該筐体４の内面に設けられ、梁８２に向いて突出した突出部１２１を有する。このような構成によれば、筐体４に力が加わり、筐体４が撓むとき、筐体４の内面がバッテリセル６１に接する前に、突出部１２１が梁８２によって確実に支持される。すなわち、筐体４からの衝撃・荷重を、突出部１２１を介してケース６２の梁８２に確実に逃がすことができる。これにより、ケース６２の一部を、さらに強度が弱く、薄くて軽い部材で構成することができ、バッテリユニット７の薄型化と軽量化とを図ることができる。
【０１１７】
本実施形態では、突出部１２１は、梁８２に沿って延びたリブである。このような構成によれば、突出部１２１が梁８２によってさらに確実に支持される。これにより、ケース６２の一部を、さらに強度が弱く、薄くて軽い部材で構成することができ、バッテリユニット７の薄型化と軽量化とを図ることができる。
【０１１８】
本実施形態では、カバー６５は、第１部分７１と、該第１部分７１に比べて厚く形成され、ケース６２を補強する第２部分７２とを有する。これによれば、ケース６２の強度をより確実に確保することができる。特に、第２部分７２が設けられることで、折り曲げや捻じりに対するケース６２の強度が向上する。
【０１１９】
第２部分７２は、パームレスト３６の下方に設けられている。このような構成によれば、パームレスト３６が第２部分７２によって補強される。これにより、パームレスト３６が撓み難くなる。
【０１２０】
本実施形態では、カバー６５は、保護回路９１の少なくとも一部を覆い、第１部分７１よりも厚く形成され、ケース６２を補強する第３部分７３を有する。これによれば、折り曲げや捻じりに対するケース６２の強度がさらに向上する。
【０１２１】
本実施形態では、カバー６５の第２部分７２及び第３部分７３は、カバー６５の第１部分７１の両側に分かれて位置する。このような構成によれば、第２部分７２及び第３部分７３によって、ケース６２がさらに効果的に補強される。
【０１２２】
本実施形態では、フレーム８１及び梁８２は、プラスチック材料で一体成形されている。このような構成によれば、ケース６２の製造性、取扱性、製造コストなどの向上を図ることができる。
【０１２３】
本実施形態では、複数のバッテリセル６１及び回路基板６は、筐体４の厚さ方向とは交差する方向で一部重なる。このような構成によれば、筐体４の薄型化をさらに図ることができる。本実施形態では、カバー６５の第２部分７２は、回路基板６の長手方向に延びている。このような構成によれば、回路基板６の長手方向の補強を行うことができる。
【０１２４】
本実施形態では、キーボード２５のキートップやその周辺の面（タイル式キーボードが嵌る枠状の部材）に対してタッチパッド２６が設けられた領域が下がっている（筐体４内部に向かって奥まって位置する）。このような構成を有することでタッチパッド２６の操作性を向上させることができる。具体的には、タッチパッド２６を主に操作するとみられる親指が操作する対象の位置は、キーボード２５を主に操作する人差し指、中指、薬指、小指が触れる位置より下げた方がより操作し易い。即ち、キーボード２５よりもタッチパッド２６が低いと、親指の位置を人間の関節により対応した状況下で操作できる位置に持ってくることができ、長時間作業に伴う腱鞘炎等の予防にもなる。
【０１２５】
また、タッチパッド２６を囲む凹部となる開口部４ｆは、筐体４の側面まで開放された形状となっている。このような構成にすることで、表示ユニットの開閉操作を効率的に行なえる。具体的に、本実施例の図のような薄型化を目指したノートブック型パーソナルコンピュータでは、ユーザーに対してより薄く見せるために、先端部分が先細りされた形状（表示ユニットを閉じた状態の筐体断面が細い流線型となる形状）が採用されることが多い。この場合、上下のユニットを閉じた状態から開く場合に両者の境が支持し難い。しなしながら、本実施例の構成では、タッチパッド２６の領域が周りの側壁より凹んでいるため、該部分の近傍から表示ユニットを押すことができる。
【０１２６】
本実施形態では、タッチパッド２６とパームレスト３６の下にバッテリユニット７の一部が位置している。バッテリユニット７は、タッチパッド２６部分の凹みに対応するような凹み部分を有する。このような構成を有することで筐体内の高密度実装に貢献する。
【０１２７】
バッテリユニット７の開口部７２ａは、バッテリセル６２Ａと該バッテリセル６２Ａよりも厚みの薄いバッテリセル６２Ｂとの２種類の異なるセルを採用されて実現されるが、これに限らず、段差を有するバッテリセルを構成し、その段差部分をタッチパッド２６の段差に対応させて位置することでも実現可能である。
【０１２８】
ノートブック型パーソナルコンピュータの実施例では、バッテリユニット７の開口部７２ａに対応した電子部品をタッチパッドデバイスとしているが、これに限らず、筐体４内の他の電子部品でも良い。例えば、筐体４には、図示しない回路基板やハードディスク等の記憶装置、冷却装置間で其々部品サイズや筐体厚さ方向での寸法の違いにより段差が生じるが、これらの段差にバッテリユニット７の開口部７２ａを対応させて配置させても高密度実装が実現できる。例えば第１の実施例として記載したテレビジョン受像機の実施例では、バッテリユニット７の開口部７２ａに、図示しない小基板（サブボード）等の電子部品６１Ｃや配線経路を配置させている。
【０１２９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【０１３０】
例えば、梁８２は、ベース６４及びカバー６５のいずれか一方に設けられてもよい。梁８２（支持部）は、格子状に設けられている必要はない。フレーム８１は、適宜省略してもよい。ケース６２の第２及び第３部分７２，７３は、必須の構成要素ではない。
【符号の説明】
【０１３１】
１…テレビジョン受像機、４…筐体、６…回路基板、７…バッテリユニット、１１…電子機器、６１…バッテリセル、６２…ケース、６４…ベース、６５…カバー、７１…第１部分、７２…第２部分、７３…第３部分、８１…フレーム、８２…梁、８３…収容部、８５…第１開口部、８６…第１シート、９１…保護回路、１０１…第２開口部、１０２…第２シート、１２１，１２２…突出部。
【図１】
2013157291.tif 000003
【図２】
2013157291.tif 000004
【図３】
2013157291.tif 000005
【図４】
2013157291.tif 000006
【図５】
2013157291.tif 000007
【図６】
2013157291.tif 000008
【図７】
2013157291.tif 000009
【図８】
2013157291.tif 000010
【図９】
2013157291.tif 000011
【図１０】
2013157291.tif 000012
【図１１】
2013157291.tif 000013
【図１２】
2013157291.tif 000014
【図１３】
2013157291.tif 000015
【図１４】
2013157291.tif 000016
【図１５】
2013157291.tif 000017
【図１６】
2013157291.tif 000018
【図１７】
2013157291.tif 000019
【図１８】
2013157291.tif 000020
【図１９】
2013157291.tif 000021
【図２０】
2013157291.tif 000022
【図２１】
2013157291.tif 000023
【図２２】
2013157291.tif 000024
【図２３】
2013157291.tif 000025